(57)【要約】      （修正有）【課題】自然光のように変化する外部光との併用が可能で、植物の育成条件に適した光形態形成が可能な光制御装置を提供する。【解決手段】植物に光を照射することで植物の成長を促進させる植物育成のための光制御装置１において、植物に照射される光の分光放射強度を検出する光検出部１１と、植物に応じて予め準備された光制御モデルを記憶し、光検出部によって検出された分光放射強度と光制御モデルの算出結果とから不足分の分光放射強度を求める制御部１３と、この制御部１３からの指令信号に基づいて、不足分の分光放射強度を補光する補光部１２とを有し、補光部１２によって補光された光の分光放射強度を光検出部１１で検出し、検出された結果を制御部１３にフィードバックするように構成した。【選択図】図３
2014128252.tif 000002
【特許請求の範囲】
【請求項１】
植物に光を照射することで前記植物の成長を促進させる植物育成のための光制御装置において、
前記植物に照射される光の分光放射強度を検出する光検出部と、
前記植物に応じて予め準備された光制御モデル及び予め定められた値を記憶する記憶部と、
前記光検出部によって検出された分光放射強度に基づき前記光制御モデルを用いて得られた結果と前記値とから不足分の分光放射強度を求める制御部と、
この制御部からの指令信号に基づいて、不足分の分光放射強度を補光する補光部と、
を有し、
補光後に前記植物に照射される光の分光放射強度を前記光検出部で検出し、検出された結果を前記制御部にフィードバックすること、
を特徴とする植物育成のための光制御装置。
【請求項２】
前記光検出器によって植物ごとに求められた分光放射強度と、前記植物ごとの光合成に関する作用分光感度、フィトクロムの作用分光感度及びクリプトクロムの作用分光感度との関係から、前記光制御モデルを作成する光モデル作成部を有することを特徴とする請求項１に記載の植物育成のための光制御装置。
【請求項３】
前記光制御モデルが、分光放射強度と、光合成に関する作用分光感度と、フィトクロムの作用分光感度と、クリプトクロムの作用分光感度を用いて以下の式で表されることを特徴とする請求項１又は２に記載の植物育成のための光制御装置。
2014128252.tif 000010
（ＰＰＥ：光合成・光形態形成効果、λ：波長、φ（λ）：分光放射強度（Ｗ／ｍ２）、Ｐ（λ）：光合成の作用分光感度、Ｐｒ（λ）：フィトクロムＰｒ型の作用分光感度、Ｐfr（λ）：フィトクロムＰfr型の作用分光感度、Ｃry（λ）：クリプトクロムの作用分光感度、ａ，ｂ，ｂ１，ｂ２，ｃ：係数、α１〜α２：光合成の有効感度波長領域、β１〜β２：フィトクロムＰｒ型の有効感度波長領域、β３〜β４：フィトクロムＰfr型の有効感度波長領域、γ１〜γ２：クリプトクロムの有効感度波長領域）
【請求項４】
請求項３に記載の植物育成のための光制御装置における式（１）のクリプトクロムの作用分光感度の項において、赤色光と青色光との割合によって以下の式（２）に当てはめ、
2014128252.tif 000011
（ｂ３：係数、δ１〜δ２：青色光の波長領域、δ３〜δ４：赤色光の波長領域）
ＢＲ≧０のときとＢＲ＜０のときとで係数ｃを切り替えることを特徴とする請求項３に記載の植物育成のための光制御装置。
【請求項５】
植物に光を照射することで前記植物の成長を促進する植物育成のための光制御方法において、
前記植物に照射される光の分光放射強度を検出する光検出部と、前記植物に応じて予め準備された光制御モデル及び予め定められた値を記憶する記憶部と、前記光検出部の検出結果に基づいて不足分の分光放射強度を求める制御部と、この制御部からの指令信号によって不足分の分光放射強度を補光する補光部とを準備し、
前記光検出部によって前記植物に照射される分光放射強度を検出するステップと、
検出された分光放射強度と前記記憶部から読み出した光制御モデルとから不足分の分光放射強度を求めるステップと、
得前記制御部からの指令信号に基づいて不足分の分光放射強度を補光するステップと、
補光後に前記植物に照射される光の分光放射強度を前記光検出部で検出し、検出された結果を前記制御部にフィードバックするステップと、
を有することを特徴とする植物育成のための光制御方法。
【請求項６】
前記植物ごとに求められた分光放射強度と、前記植物ごとの光合成に関する作用分光感度、フィトクロムの作用分光感度及びクリプトクロムの作用分光感度との関係から前記光制御モデルを作成するステップを有することを特徴とする請求項５に記載の植物育成のための光制御方法。
【請求項７】
請求項５又は請求項６に記載の植物育成のための光制御方法において、前記光制御モデルの光合成に関する作用分光感度と、フィトクロムの作用分光感度と、クリプトクロムの作用分光感度とを含む部分が以下の式で表されることを特徴とする植物育成のための光制御方法。
2014128252.tif 000012
（ＰＰＥ：光合成・光形態形成効果、λ：波長、φ（λ）：分光放射強度（Ｗ／ｍ２）、Ｐ（λ）：光合成の作用分光感度、Ｐｒ（λ）：フィトクロムＰｒ型の作用分光感度、Ｐfr（λ）：フィトクロムＰfr型の作用分光感度、Ｃry（λ）：クリプトクロムの作用分光感度、ａ，ｂ，ｂ１，ｂ２，ｃ：係数、α１〜α２：光合成の有効感度波長領域、β１〜β２：フィトクロムＰｒ型の有効感度波長領域、β３〜β４：フィトクロムＰfr型の有効感度波長領域、γ１〜γ２：クリプトクロムの有効感度波長領域）
【請求項８】
式（１）のクリプトクロムの作用分光感度の項において、赤色光と青色光との割合によって以下の式（２）に当てはめ、
2014128252.tif 000013
（ｂ３：係数、δ１〜δ２：青色光の波長領域、δ３〜δ４：赤色光の波長領域）
ＢＲ≧０のときとＢＲ＜０のときとで係数ｃを切り替えることを特徴とする請求項７に記載の植物育成のための光制御方法。
【請求項９】
コンピュータにインストールされることで請求項５〜８のいずれかに記載の光制御方法の各ステップを実行させることを特徴とする植物育成のための光制御プログラム。
【請求項１０】
請求項５〜８のいずれかに記載の植物育成のための光制御方法に用いられる光制御モデルを作成するためのデータ収集装置であって、植物に照射される光の分光放射強度を検出する光検出部と、この光検出部によって検出された分光放射強度、植物ごとの光合成に関する作用分光感度、フィトクロムの作用分光感度及びクリプトクロムの作用分光感度の関係から光制御モデルを作成する光モデル作成部と、作成された前記光制御モデルを記憶する記憶部とを有することを特徴とする光制御のためのデータ収集装置。
【発明の詳細な説明】
【技術分野】
【０００１】
本発明は、植物の育成に必要な光を制御する光制御装置及び光制御方法並びに光制御プログラムに関し、特に、育成の対象となる植物に適した光形態を形成して前記植物に照射することのできる光制御装置、光制御方法及びこの方法に使用される光制御プログラム並びに光制御のためのデータ収集装置に関する。
【背景技術】
【０００２】
例えば植物の生産現場においては、短日植物や長日植物の花芽の形成時期を調整するために、前記植物に照射する光の時間や分光放射強度を調整することが行われている（例えば、特許文献１、２参照）。
ところで、光と植物との関係においては、「赤色光・遠赤色光」は「発芽誘導、発芽阻害、成長調節、茎伸張・葉面積拡大というような形態形成、発芽形成、色素合成」に関係することが知られている。また、「青色光」は「茎伸張・出葉速度・葉厚というような形態形成、光屈性、気孔開口、葉緑体の運動、花成というような花芽形成、既日リズムの同調、色素合成」に関係することが知られている。
【０００３】
ＬＥＤは、ＲＧＢ（赤緑青）の発光色の組合せにより、あらゆる色の照明光を作り出すことが容易なうえ、低消費電力や低発熱の点で他の照明装置に優れることから、ＬＥＤを利用して分光放射強度（周波数ごとの光強度）の調整を行い、植物工場等における植物生産性を高めようとする提案もなされている。
例えば、特許文献２に記載の育成方法では、赤と青の二種類のＬＥＤを隣接して配置し、予め定められたタイミングで赤と青のＬＥＤを交互に発光させたり同時に発光させたりすることで、植物の光合成に加えて光形態形成を促進さようとしている。
【先行技術文献】
【特許文献】
【０００４】
【特許文献１】特開２０１２−３９９０１号公報
【特許文献２】特開２００９−１２５００７号公報
【発明の開示】
【発明が解決しようとする課題】
【０００５】
しかし、さらに消費電力の削減を図って植物生産のコストを削減したり、より自然に近い植物を生産するには、可能な限り自然光を照射するのが好ましい。また、植物の育成に適した光形態は植物の種類や成長の過程によって異なり、特許文献１，２のような固定的な光形態では、植物の十分な育成を図ることは困難である。特に、自然光のように天候や時間、季節により変化する外部光に対してＬＥＤ等の照明装置を併用する場合は、特許文献１，２に記載されたような従来技術では変化に応じた光形態で照射を行うことは困難である。また、自然光が十分に照射している場合に無駄なエネルギーが消費されるという問題がある。さらに、必要以上に分光放射強度の高い光を照射すると、葉が収縮したり枯れたりすることがあり、成長阻害や商品価値の低下につながる恐れがある。
本発明は、上記の問題点に鑑みてなされたもので、自然光のように変化する外部光との併用が可能で、植物の種類や成長の過程に対応が可能で育成条件に適した光形態を、前記外部光の変化に伴って調整することが可能で無駄のない光制御が可能な光制御装置、光制御方法、この光制御方法のための光制御プログラム及び光制御のためのデータ収集装置の提供を目的とする。
【課題を解決するための手段】
【０００６】
上記目的を達成するために、請求項１に記載の発明は、植物に光を照射することで前記植物の成長を促進させる植物育成のための光制御装置において、前記植物に照射される光の分光放射強度を検出する光検出部と、前記植物に応じて予め準備された光制御モデル及び予め定められた値を記憶する記憶部と、前記光検出部によって検出された分光放射強度に基づき前記光制御モデルを用いて得られた結果と前記値とから不足分の分光放射強度を求める制御部と、この制御部からの指令信号に基づいて、不足分の分光放射強度を補光する補光部と、を有し、補光後に前記植物に照射される光の分光放射強度を前記光検出部で検出し、検出された結果を前記制御部にフィードバックするように構成してある。
【０００７】
前記光制御モデルは、請求項２に記載するように、植物ごとに求められた分光放射強度と、前記植物ごとの光合成に関する作用分光感度、フィトクロムの作用分光感度及びクリプトクロムの作用分光感度との関係から作成することができ、この関係を利用して前記光制御モデルを作成する光モデル作成部を有する構成としてもよい。
具体的には、請求項３に記載するように、前記光制御モデルが、分光放射強度と、光合成に関する作用分光感度と、フィトクロムの作用分光感度と、クリプトクロムの作用分光感とを用いて、
2014128252.tif 000003
（ＰＰＥ：光合成・光形態形成効果、λ：波長、φ（λ）：分光放射強度（Ｗ／ｍ２）、Ｐ（λ）：光合成の作用分光感度、Ｐｒ（λ）：フィトクロムＰｒ型の作用分光感度、Ｐfr（λ）：フィトクロムＰfr型の作用分光感度、Ｃry（λ）：クリプトクロムの作用分光感度、ａ，ｂ，ｂ１，ｂ２，ｃ：係数、α１〜α２：光合成の有効感度波長領域、β１〜β２：フィトクロムＰｒ型の有効感度波長領域、β３〜β４：フィトクロムＰfr型の有効感度波長領域、γ１〜γ２：クリプトクロムの有効感度波長領域）の式で表されるものとしてもよい。
【０００８】
なお、この場合、請求項４に記載するように、式（１）のクリプトクロムの作用分光感度の項において、赤色光と青色光との割合によって以下の式（２）に当てはめ、
2014128252.tif 000004
（ｂ３：係数、δ１〜δ２：青色光の波長領域、δ３〜δ４：赤色光の波長領域）
ＢＲ≧０のときとＢＲ＜０のときとで係数ｃを切り替えるようにしてもよい。
【０００９】
本発明の光制御方法は、請求項５に記載するように、植物に光を照射することで前記植物の成長を促進する植物育成のための光制御方法において、前記植物に照射される光の分光放射強度を検出する光検出部と、前記植物に応じて予め準備された光制御モデル及び予め定められた値を記憶する記憶部と、前記光検出部の検出結果に基づいて不足分の分光放射強度を求める制御部と、この制御部からの指令信号によって不足分の分光放射強度を補光する補光部とを準備し、前記光検出部によって前記植物に照射される分光放射強度を検出するステップと、検出された分光放射強度と前記記憶部から読み出した光制御モデルとから不足分の分光放射強度を求めるステップと、得前記制御部からの指令信号に基づいて不足分の分光放射強度を補光するステップと、補光後に前記植物に照射される光の分光放射強度を前記光検出部で検出し、検出された結果を前記制御部にフィードバックするステップとを有する。
【００１０】
請求項６に記載するように、前記植物ごとに求められた分光放射強度と、前記植物ごとの光合成に関する作用分光感度、フィトクロムの作用分光感度及びクリプトクロムの作用分光感度との関係から前記光制御モデルを作成するステップを有する構成としてもよく、請求項７に記載するように、前記光制御モデルにおける分光放射強度、光合成に関する作用分光感度、フィトクロムの作用分光感度及びクリプトクロムの作用分光感度の部分が以下の式で表されるものであってもよい。
2014128252.tif 000005
（ＰＰＥ：光合成・光形態形成効果、λ：波長、φ（λ）：分光放射強度（Ｗ／ｍ２）、Ｐ（λ）：光合成の作用分光感度、Ｐｒ（λ）：フィトクロムＰｒ型の作用分光感度、Ｐfr（λ）：フィトクロムＰfr型の作用分光感度、Ｃry（λ）：クリプトクロムの作用分光感度、ａ，ｂ，ｂ１，ｂ２，ｃ：係数、α１〜α２：光合成の有効感度波長領域、β１〜β２：フィトクロムＰｒ型の有効感度波長領域、β３〜β４：フィトクロムＰfr型の有効感度波長領域、γ１〜γ２：クリプトクロムの有効感度波長領域）としてもよい。
【００１１】
この場合、請求項８に記載するように、式（１）のクリプトクロムの作用分光感度の項において、赤色光と青色光との割合によって以下の式（２）に当てはめ、
2014128252.tif 000006
（ｂ３：係数、δ１〜δ２：青色光の波長領域、δ３〜δ４：赤色光の波長領域）
ＢＲ≧０のときとＢＲ＜０のときとで係数ｃを切り替えるようにしてもよい。
上記の光制御方法の各ステップは、請求項９に記載のプログラムをコンピュータにインストールすることで実行することができる。
また、光制御のためのデータ収集装置は、請求項１０に記載するように、植物に照射される光の分光放射強度を検出する光検出部と、この光検出部によって検出された分光放射強度、植物ごとの光合成に関する作用分光感度、フィトクロムの作用分光感度及びクリプトクロムの作用分光感度の関係から光制御モデルを作成する光モデル作成部と、作成された前記光制御モデルを記憶する記憶部とを有する構成とすることができる。
【発明の効果】
【００１２】
本発明によれば、自然光のように変化する外部光とＬＥＤ等の照明装置とを併用することでＬＥＤ等の照明装置の電力消費量を可能な限り削減することが可能であるとともに、自然光が十分に照射されているときの無駄な電力消費を抑制することができる。また、自然光の照射により自然に近い環境下で植物を育成することができるとともに、植物の種類や成長過程などの育成条件に応じた光形態を、外部光の変化に応じて調整することで一定に保つことができ、収穫時期、収穫量、収穫回数の調整を行いつつ、高品質の植物を安定的に生産することが可能になる。
また、本発明のデータ収集装置を例えば収穫量の多い農場や味が優れた植物を生産する農場に設置して光制御モデルを作成することにより、収益率の高い光制御モデルからなるデータベースを構築することができる。
【発明を実施するための最良の形態】
【００１３】
以下、本発明の好適な実施形態を、図面を参照しながら詳細に説明する。
図１及び図２は、本発明の光制御装置によって補光を行う補光器を備えた栽培装置の一例にかかり、その構成を説明する概略図、図３は、本発明の光制御装置の一実施形態にかかり、その構成を説明するブロック図である。
この実施形態において植物を栽培する栽培装置１０は、一般的な水耕栽培に用いられている栽培装置と同様の構成を有しており、図１に示すように、植物を植え付ける多数の栽培孔１０１ａを備えた植栽部１０１と、この植栽部１０１に植え付けられた植物に供給する培養液を貯留し、植栽部１０１を培養液に浮遊状態で収容する貯液容器１０２とを有している。
【００１４】
この栽培装置１０で栽培される植物には、自然光等の外部光が照射されるが、この外部光は天候や季節によって変化し、また、植物の成長に適した波長成分の光は自然光のみによっては十分に得ることができないことがある。
そこで、この実施形態では、植物に照射される光を検出する光検出器１１を栽培装置１０に設けるとともに、この光検出器１１の検出結果に基づいて必要な量の光を補光する補光器１２とを備えている。
【００１５】
補光器１２は、貯液容器１０２に取り付けられた一対のアーム１２２と、このアーム１２２によって支持されたフレーム１２１とを有し、発光体である多数のＬＥＤ１２０はフレーム１２１に取り付けられている。アーム１２２は、貯液容器１０２の側面に枢軸１２３によって回動自在に取り付けられ、貯液容器１０２の側面に形成された部分円弧状の溝１２５に位置決め用のボルトを差し込んで締め付けることで、任意の角度位置に位置決め自在である。
図１に示すような形態の栽培装置１０は、多数の栽培装置１０を棚上に配列することで植物工場における植物の大量生産も可能である他、単体では小型軽量であるため、家庭菜園やレストランにおける店内菜園等にも好適に利用することができる。
図２は、栽培装置の他の例にかかり、植物工場等のような比較的大規模な施設での使用に適した棚状の栽培装置の一例を示す概略図である。
栽培装置２０は、植物を植え付ける多数の栽培孔２０１ａを備えた棚板状の植栽部２０１と、この植栽部２０１に植え付けられた植物に供給する培養液を貯留し、植栽部２０１を培養液に浮遊状態で収容する貯液容器２０２とを有している。植栽部２０１には適宜の位置に光検出器２１が配置されている。
補光器２２は、植栽部２０１の上方に植栽部２０１と平行に配置された棚板状のフレーム２２１と、このフレーム２２１に取り付けられたＬＥＤ２２０とを有している。
上記構成の栽培装置２０及び補光器２２を、図２において仮想線で示すように上下方向に複数配置したり、平面方向に複数配置したりすることで、大量の植物の栽培が可能になる。
【００１６】
図３に示すように、栽培装置１０，２０に植栽された植物に対して常に好適な形態の光を自動的に照射させるために、この実施形態の光制御装置１，２は光検出器１１，２１の検出結果から不足分の分光放射強度を算出する制御部１３と、この制御部１３に対して植物ごとの光制御モデルを与えるモデル記憶部１４と、植物ごとの測定データ等に基づいて光制御モデルを作成し、モデル記憶部１４に格納するモデル作成部１５とを有している。
前記した制御部１３、モデル記憶部１４及びモデル作成部１５としては、市販のパーソナルコンピュータ（ＰＣ）にモデル作成用のアプリケーションをインストールしたものを利用することができる。
【００１７】
［光検出器］
光検出器１１，２１は、植物に照射される光の分光放射強度を検出する。光の分光放射強度を検出することができるものであれば、市販のものを用いることができる。分光放射強度の検出方法としては、分光器を通した分光によるもの、一定波長域の光を透過する複数のフィルタを使って波長域ごとの分光放射強度をもとめるもの、一定波長の光を検出する検出素子によるものなどが知られている。
光検出器１１，２１は、植物に照射される光を正確に検出できるように、植栽部１０１の中央や周縁部などに配置する。光検出器１１，２１の数は一つでもよいが、配置位置を変えて複数設けるのが好ましい。
【００１８】
［補光器］
この実施形態において補光器１２，２２は、波長の異なる複数種類の照明体を組み合わせて構成される。前記照明体は、光度を容易に調整でき、消費電力が小さく発熱量も小さいＬＥＤであるのが好ましい。上記したように、「赤色光・遠赤色光」は「発芽誘導、発芽阻害、成長調節、茎伸張・葉面積拡大というような形態形成、発芽形成、色素合成」に作用し、「青色」は「茎伸張・出葉速度・葉厚というような形態形成、光屈性、気孔開口、葉緑体の運動、花成というような花芽形成、既日リズムの同調、色素合成」に作用することから、補光器１２は少なくとも赤色と青色のＬＥＤを備えているのが好ましい。緑色のＬＥＤをさらに備えていてもよく、ＲＧＢの三原色のＬＥＤを備えることで、補光可能な分光放射光の範囲を拡げることが可能になる。
【００１９】
［制御部及び光制御モデル］
図４（ａ）〜（ｄ）は、光源として白色蛍光灯（照度１００）、緑色蛍光灯（照度１００，１５０，２００）、赤色ＬＥＤ（照度１００，２００，２５０，３００，４００，６００）、青色ＬＥＤ（照度１００）、赤／青ＬＥＤ（照度：赤５０＋青５０，赤５００＋青５００）、緑色ＬＥＤ（照度２００）を用いた場合のレタスにおける栽培日数と乾燥重量との関係を示すグラフである。図４（ａ）〜（ｄ）の各グラフにおいて縦軸は乾燥重量（ｇ）で、横軸は経過日数である。光制御モデルを作成するには、波長の異なる光源を種々準備して図４（ａ）〜（ｄ）と同様のデータを収集する。
このようなデータを用いて、植物育成と光との関係を測るための手法としては、植物育成のための測光量としては、ＰＰＦＤ（光合成有効光量子束密度：μmol m-2・s-1）が知られている。ＰＰＦＤは以下の式で表される。
2014128252.tif 000007
ここで、ｈ：ブランク定数、ｃ：光の速度、φ（λ）：分光放射強度（Ｗ／ｍ２）、λ：光の波長である。
図５（ａ）は相対乾燥重量（白色蛍光灯（ＦＬ（白））を１とする乾燥重量の比）とＰＰＦＤとの関係を示すグラフである。図４に示すような測定で得られたデータに基づくこのグラフの回帰直線式は、Ｙ＝０．００９７Ｘ＋０．２４２で表される。図示するように、この回帰直線式に対してデータのばらつきが大きい（決定係数Ｒ２＝０．５４５８）ことから、光制御モデルとしてＰＰＦＤは不向きである。
【００２０】
図６にレタスの場合の吸光度と波長との関係を示す。
図６の例では、光合成による効果は、概ね波長４００ｎｍ〜７００ｎｍの範囲内で、分光放射強度φ（λ）（Ｗ／ｍ２）と光合成の作用分布光感度Ｐ（λ）との関係で表される。
フィトクロムによる作用は、概ね波長３００ｎｍ〜８００ｎｍの範囲内で、分光放射強度φ（λ）（Ｗ／ｍ２）とフィトクロムＰｒ型の作用分光感度Ｐｒ（λ）との関係式及び分光放射強度φ（λ）（Ｗ／ｍ２）とフィトクロムＰｆｒ型の作用分光感度Ｐｆｒ（λ）との関係で表される。
クリプトクロムによる作用は、概ね波長３００ｎｍ〜８００ｎｍの範囲内で、分光放射強度φ（λ）（Ｗ／ｍ２）とクリプトクロムの作用分光感度Ｃｒｖ（λ）との関係で表される。
以上の関係から本願発明者は、分光放射強度と、光合成に関する作用分光感度と、フィトクロム、クリプトクロム（フォトトロピン）の作用分光感度を用いて、照射光の乾燥重量への貢献度を定量化した以下の式（１）を考案した。
2014128252.tif 000008
【００２１】
ここで、ＰＰＥは、光合成・光形態形成効果（Photosynthetic
and Photomorphogenesis Effect [W/m2]）を意味し、式中の分光放射強度φ（λ）には光検出器１１からの検出結果を代入し、分光感度Ｐ（λ）、Ｐｒ（λ）、Ｐｆｒ（λ）、Ｃｒｖ（λ）としては植物ごとに測定等で得られたものを用いる。
また、α１，α２は、光合成による効果が得られる範囲の上限と下限で、図６の例ではα１＝４００ｎｍ、α２＝７００ｎｍ、β１，β２は、フィトクロムＰｒ型の作用が生じる範囲の上限と下限でβ１＝３００ｎｍ、β２＝８００ｎｍ、β３，β４は、フィトクロムＰｆｒ型の作用が生じる範囲の上限と下限でβ３＝３００ｎｍ、β４＝８００ｎｍ、γ１，γ２は、クリプトクロムによる作用が生じる範囲の上限と下限でγ１＝３００ｎｍ、γ２＝８００ｎｍである。
係数ａ，ｂ，ｂ１，ｂ２，ｃは植物ごとに決定されるもので、レタスの場合、ａ＝０．８〜１．２、ｂ＝０．６〜１．０，ｂ１＝０．２〜０．３５、ｂ２＝０．６５〜０．８、係数ｃは青色光と赤色光の割合によって決定され、以下の式
2014128252.tif 000009
（係数ｂ３＝０．１）の左辺ＢＲがＢＲ≧０のとき係数ｃ＝０．２５、ＢＲ＜０のとき係数ｃ＝１．２５である。
σ１、σ２は青色光の波長範囲で、σ１＝３００ｎｍ、σ２＝５００ｎｍ、σ３、σ４は赤色光の波長範囲で、σ１＝５００ｎｍ、σ２＝８００ｎｍである。
図５（ｂ）は、相対乾燥重量（図５（ａ）と同様に白色蛍光灯（ＦＬ（白））を１とする乾燥重量の比）とＰＰＥとの関係を示すグラフである。このグラフの回帰直線式は、Ｙ＝０．０９７９Ｘ−０．０９７４で表され、回帰直線式に対する決定係数Ｒ２＝０．８９４２となり、ＰＰＥを用いることで、データの分布は回帰直線式上に可能な限り収束する。本発明の光制御装置及び方法では、このＰＰＥを光制御モデルとして用いる。
【００２２】
このように、本発明の光制御装置及び方法で使用される光制御モデルは、植物の種類ごとに図４に示すような測定で得られたデータが、図５（ｂ）に示すように一つの回帰直線に可能な限り収斂するように、パソコン等のモデル作成部１５でＰＰＥの式の各係数（符号の＋−を含む）を求めることで得られる。そして、得られた光制御モデルは、植物ごとに分類してモデル記憶部１４に格納される。
制御部１３は、栽培しようとする植物に対応した光制御モデルをモデル記憶部１４から読み出し、光検出器１１から入力された分光放射強度（周波数ごとの光強度）の各々をこの光制御モデルに代入する。そして、制御部１３は、ＰＰＥが、植物ごとに予め実験等によって求められ、植物の栽培に適した値（以下、適正値と記載）になるように、不足分の分光放射強度を求める。
このようにして得られた不足分の分光放射強度は補光器１２に送信され、補光器１２から照射される光の分光放射強度が前記不足分の分光放射強度にしたがって調整される。
【００２３】
図７は、上記構成の光制御装置１の作用を説明する流れ図である。
光制御装置の起動（ステップＳ１）とともに、光検出器１１によって分光放射強度が検出される（ステップＳ２）。
この検出結果は制御部１３に送信され、モデル記憶部１４から読み出された光制御モデルに代入される（ステップＳ３）。
制御部１３ではＰＰＥの前記適正値と光制御モデルでの計算結果とが比較され（ステップＳ４）、不足分の分光放射強度が求められる（ステップＳ５）。そして、制御部１３から補光器１２に対して補光指令が出力される（ステップＳ６）。これにより補光器１２の照度は変化するが、補光の結果は光検出器によって検出され（ステップＳ１）、以後、ステップＳ２〜Ｓ６の動作が光制御の終了まで繰り返される（ステップＳ７）。これらの各ステップは、パソコン等の処理装置にインストールされメモリに記憶されたプログラムを実行することによって行なわれる。
以上の手順により、栽培装置１０に植栽された植物には常に好適な形態の光が照射されることになる。
【００２４】
［データ収集装置］
上記で説明した光制御装置１のうち、光検出器１１（２１）と、制御部１３と、モデル作成部１５と、モデル記憶部１４とで、所定の植物の成長と前記植物に照射された分光放射強度に関するデータを収集して光制御モデルを作成するデータ収集装置を構成することができる。
このデータ収集装置を、例えば農場に設置して、種まきから収穫までの期間、植物に照射されている光の分光放射強度を継続して計測することにより、植物の成長と植物に照射された分光放射強度との関係を示すデータを収集する。そして、得られたデータに基づいて、モデル作成部１５が光制御モデルを作成する。作成された光制御モデルは、モデル記憶部１４に格納される。このような測定とモデル作成を収穫量の多い農場や味が優れた植物を生産する農場で行うことにより、収益率の高い光制御モデルからなるデータベースを構築することができる。
【００２５】
本発明の好適な実施形態について説明したが、本発明は上記の説明に限られない。
例えば、本発明が適用される栽培装置は図１及び図２に示すようなものに限らず、例えば丸形のテーブル状のものや水槽状のものであってもよい。
また、発光体はＬＥＤであるとして説明したが、分光放射強度を調整できるのであれば、蛍光灯や白熱灯等の他の発光体も使用が可能である。これら発光体の多くは、それ自体が赤色や青色の発光色を有するものではないので、フィルタや着色によって赤色や青色の発光体を得るようにする。
【図面の簡単な説明】
【００２６】
【図１】本発明の光制御装置によって補光を行う補光器を備えた栽培装置の一例にかかり、その構成を説明する概略図である。
【図２】本発明の光制御装置によって補光を行う補光器を備えた栽培装置の他の例にかかり、その構成を説明する概略図である。
【図３】本発明の光制御装置の一実施形態にかかり、その構成を説明するブロック図である。
【図４ａ】光源として白色蛍光灯（照度１００）、緑色蛍光灯（照度１００）、赤色ＬＥＤ（照度１００）、赤／青ＬＥＤ（照度５０+５０）、青色ＬＥＤ（照度１００）を用いた場合のレタスにおける栽培日数と乾燥重量との測定例にかかり、その関係を示すグラフである。
【図４ｂ】光源として白色蛍光灯（照度１００）、緑色蛍光灯（照度２００）、赤色ＬＥＤ（照度２００）、赤色ＬＥＤ（照度４００）、赤色ＬＥＤ（照度６００）を用いた場合のレタスにおける栽培日数と乾燥重量との測定例にかかり、その関係を示すグラフである。
【図４ｃ】光源として白色蛍光灯（照度１００）、緑色蛍光灯（照度１５０）、赤色ＬＥＤ（照度３００）、赤色ＬＥＤ（照度５００）、赤／青ＬＥＤ（照度５００+１００）を用いた場合のレタスにおける栽培日数と乾燥重量との測定例にかかり、その関係を示すグラフである。
【図４ｄ】光源として白色蛍光灯（照度１００）、緑色蛍光灯（照度２００）、赤色ＬＥＤ（照度２００）、赤色ＬＥＤ（照度２５０）、緑色ＬＥＤ（照度２００）を用いた場合のレタスにおける栽培日数と乾燥重量との測定例にかかり、その関係を示すグラフである。
【図５ａ】相対乾燥重量とＰＰＦＤとの関係を示すグラフである。
【図５ｂ】相対乾燥重量とＰＰＦとの関係を示すグラフである。
【図６】レタスの場合の吸光度と波長との関係を示すグラフである。
【図７】本発明の光制御装置の作用を説明する流れ図である。
【符号の説明】
【００２７】
１，２            光制御装置
１０，２０        栽培装置
１１，２１        光検出器
１２，２２        補光器
１３              制御部
１４              モデル記憶部
１５              モデル作成部
【図１】
2014128252.tif 000014
【図２】
2014128252.tif 000015
【図３】
2014128252.tif 000016
【図６】
2014128252.tif 000017
【図７】
2014128252.tif 000018
【図４ａ】
2014128252.tif 000019
【図４ｂ】
2014128252.tif 000020
【図４ｃ】
2014128252.tif 000021
【図４ｄ】
2014128252.tif 000022
【図５ａ】
2014128252.tif 000023
【図５ｂ】
2014128252.tif 000024